(57)【要約】【課題】画像表示装置の前面側に遮蔽部材が設けられた遊技機において画像表示装置による報知を行う場合に、表示された報知内容が遮蔽部材で遮蔽されることのない遊技機を提供する。【解決手段】シャッター制御基板６００のＣＰＵ６０１は、リール２ａ，２ｂ，２ｃが回転してからの時間を警告タイマーで計時し、何等停止操作がなく警告タイマーが５分に達したことを契機として励磁パターンを開閉装置８の駆動装置１０ＲＡ，１０ＬＡ，１０ＲＢ，１０ＬＢに送信し、表示画面７１を開放する方向へシャッター部材８１，８２を駆動させる。【選択図】図１７
2008295964.tif 000002
【特許請求の範囲】
【請求項１】
表示領域に画像を表示する画像表示装置と、
前記表示領域の少なくとも一部を遮蔽可能な遮蔽部材と、
該遮蔽部材を駆動させる駆動手段と、
所定のタイマーが所定の時間に達したことを契機として、前記表示領域を開放する方向へ前記遮蔽部材を駆動させるように前記駆動手段を制御する駆動制御手段と
を備えることを特徴とする遊技機。
【請求項２】
遊技者の操作により回転及び停止駆動される回胴と、
表示領域に画像を表示する画像表示装置と、
前記表示領域の少なくとも一部を遮蔽可能な遮蔽部材と、
該遮蔽部材を駆動させる駆動手段と、
前記回胴の回転時間を計時するタイマーが所定の時間に達したことを契機として、前記表示領域を開放する方向へ前記遮蔽部材を駆動させるように前記駆動手段を制御する駆動制御手段と
を備えることを特徴とする遊技機。
【請求項３】
前記画像表示装置は、前記タイマーが所定の時間に達したことを契機として、前記回胴の停止操作を促す警告メッセージを前記表示領域に表示することを特徴とする請求項２に記載の遊技機。
【発明の詳細な説明】
【技術分野】
【０００１】
本発明は、遊技機に関し、特に、画像表示装置の前面側にシャッターを備えた遊技機に関する。
【背景技術】
【０００２】
従来、一般的にパチスロ機と呼ばれる回胴式の遊技機が存在する。このような遊技機では、遊技者がメダルを投入してスタートレバーを押下すると、３つのリールを回転させ、リールの周囲に配置された複数種類の図柄を表示枠内において変動表示させるとともに、役抽選を行う。次いで、遊技者が３つの停止ボタンを押下すると、当選役に対応する図柄を所定の入賞態様で表示枠内に表示させるようにリールの停止制御を行う。この結果、当選役に対応する図柄が所定の入賞態様で表示枠内に表示された場合に入賞が成立し、メダルの払出し等の所定の利益を遊技者に付与する。以上のような一連の動作を１遊技といい、この１遊技が繰り返されて遊技が進行する。
【０００３】
このような遊技機では、遊技者が３つの停止ボタンの全てを押下しないと３つのリール全ての回転は停止しない。このため、遊技者が全ての停止ボタンを押下せずに遊技機を放置した場合、リールは回転し続け、他の遊技者はその遊技機は使用中であると認識してしまいその遊技機が他の遊技者に使用されることはない。この結果、遊技機の稼働率が低下し、遊技店の売上が減少してしまうおそれがあった。これを防ぐために、リールが回転したまま所定時間が経過したことを報知する遊技機が存在した（例えば、特許文献１参照）。
【０００４】
一方、遊技機の遊技性を向上させるために、様々な演出の工夫がなされている。例えば、画像表示装置の前面側にシャッター等の遮蔽部材が設けられ、遊技者の停止操作や画像表示装置に表示された画像に対応してシャッターが開閉する遊技機が存在する（例えば、特許文献２参照）。
【０００５】
【特許文献１】特開２００６−２９６６１９号公報
【特許文献２】特開２００５−５４０号公報
【発明の開示】
【発明が解決しようとする課題】
【０００６】
上記のようなシャッターが設けられた遊技機において画像表示装置による報知を行う場合、報知内容が表示された時にシャッターが閉じて報知内容を遮蔽してしまうことがあり、この場合、遊技者や遊技店の店員は報知内容を認識することができない。
【０００７】
本発明は、このような課題に鑑みてなされたものであり、画像表示装置の前面側に遮蔽部材が設けられた遊技機において画像表示装置による報知を行う場合に、表示された報知内容が遮蔽部材で遮蔽されることのない遊技機を提供することを目的とする。
【課題を解決するための手段】
【０００８】
このような目的を達成するために、本発明に係る遊技機は、表示領域に画像を表示する画像表示装置と、前記表示領域の少なくとも一部を遮蔽可能な遮蔽部材と、該遮蔽部材を駆動させる駆動手段と、所定のタイマーが所定の時間に達したことを契機として、前記表示領域を開放する方向へ前記遮蔽部材を駆動させるように前記駆動手段を制御する駆動制御手段とを備えることを特徴とする。
【０００９】
本発明によれば、遊技機の駆動制御手段は、所定のタイマーが所定の時間に達したことを契機として、表示領域を開放する方向へ遮蔽部材を駆動させるように駆動手段を制御するため、所定のタイマーが所定の時間に達したタイミングで画像表示装置に報知内容を表示すれば、表示された報知内容が遮蔽部材で遮蔽されることがない。
【００１０】
また、本発明に係る遊技機は、遊技者の操作により回転及び停止駆動される回胴と、表示領域に画像を表示する画像表示装置と、前記表示領域の少なくとも一部を遮蔽可能な遮蔽部材と、該遮蔽部材を駆動させる駆動手段と、前記回胴の回転時間を計時するタイマーが所定の時間に達したことを契機として、前記表示領域を開放する方向へ前記遮蔽部材を駆動させるように前記駆動手段を制御する駆動制御手段とを備えることを特徴とする。
【００１１】
本発明によれば、遊技機の駆動制御手段は、回胴の回転時間を計時するタイマーが所定の時間に達したことを契機として、表示領域を開放する方向へ遮蔽部材を駆動させるように駆動手段を制御するため、タイマーが所定の時間に達したタイミングで画像表示装置に報知内容を表示すれば、表示された報知内容が遮蔽部材で遮蔽されることがない。
【００１２】
また、上記構成において、前記画像表示装置は、前記タイマーが所定の時間に達したことを契機として、前記回胴の停止操作を促す警告メッセージを前記表示領域に表示するとすることができる。
【００１３】
本発明によれば、タイマーが所定の時間に達したことを契機として、遮蔽部材が表示領域を開放する方向へ駆動され、表示領域に回胴の停止操作を促す警告メッセージが表示されるため、回胴が長時間回転したまま放置されるのを防ぐことができる。
【発明の効果】
【００１４】
本発明によれば、遊技機の駆動制御手段は、所定のタイマーが所定の時間に達したことを契機として、表示領域を開放する方向へ遮蔽部材を駆動させるように駆動手段を制御するため、所定のタイマーが所定の時間に達したタイミングで画像表示装置に報知内容を表示すれば、表示された報知内容が遮蔽部材で遮蔽されることがない。
【発明を実施するための最良の形態】
【００１５】
以下、図面を参照して、本発明の実施形態について詳細に説明する。なお、各図面において同様の機能を有する箇所には同一の符号を付し、重複した説明は省略する。
【００１６】
図１は、本発明の実施形態に係る遊技機の斜視図である。以下の説明においては、図１における左斜め下方を「前方」とし、右斜め上方を「後方」とし、左斜め上方を「左方」とし、また、右斜め下方を「右方」とする。
【００１７】
遊技機１は、外周面に複数種類の図柄が描かれた左、中、右３個のリール２ａ，２ｂ，２ｃ及びその他の各種遊技機器を収容した筐体３と、筐体３の前面に開閉可能に設けられた合成樹脂製の前扉４とを備える。前扉４の前面の略中央には、各リール２ａ，２ｂ，２ｃの周囲に付された図柄を３コマずつ視認可能な透視窓４２が設けられている。
【００１８】
透視窓４２の下方には、遊技媒体としてのメダルを投入するためのメダル投入口２０が設けられている。メダル投入口２０の左方には、ベットボタン２１が設けられている。ベットボタン２１は、電気的に記憶されたクレジット状態のメダルから指定枚数分を掛数に設定するためのボタンである。ベットボタン２１の下方には、スタートレバー２２及び停止ボタン２３が設けられている。スタートレバー２２は、押下されることによりリール２ａ，２ｂ，２ｃの回転の契機を与える。停止ボタン２３は、押下されることにより対応するリールの停止の契機を与える。前扉４の前面下部には、メダル放出口から放出されたメダルを溜めるメダル受皿４１が設けられている。
【００１９】
前扉４の前面上部には、表示ユニット５が設けられている。図２は表示ユニット５の正面図、図３は表示枠を外した状態の表示ユニット５の正面図、図４は斜め前方から見た表示ユニット５の分解斜視図、図５は斜め後方から見た表示ユニット５の分解斜視図である。
【００２０】
表示ユニット５は、遊技状況に応じて、光源が点滅したり、後述の表示画面７１に各種画像を表示させたり、表示画面７１を遮蔽したり開放したりして遊技を演出するものである。図４に示すように、表示ユニット５は、前扉４の前面上部に固定される合成樹脂製の表示枠６と、画像を表示可能な表示画面７１を有する表示装置７と、表示画面７１を開閉する開閉装置８と、開閉装置８に動力を伝達するための左右の第１駆動装置１０ＲＡ，１０ＬＡ及び左右の第２駆動装置１０ＲＢ，１０ＬＢ（「駆動手段」に対応）と、表示枠６、画像表示装置７、開閉装置８及び各駆動装置１０ＲＡ，１０ＬＡ，１０ＲＢ，１０ＬＢが取り付けられる合成樹脂製のベース部材１１と、遊技状況に応じて点灯、消灯し、照明により遊技を演出するセンター照明装置１２及び左右のサイド照明装置１３とを備えている。なお、本発明における開閉装置８は、第１駆動装置１０ＲＡ，１０ＬＡと、第２駆動装置１０ＲＢ，１０ＬＢと、ベース部材１１とを含むものとする。
【００２１】
画像表示装置７は、ベース部材１１の裏面側中央に固定されるとともに、前面に液晶等で構成される表示画面７１を有する。
【００２２】
ベース部材１１は、表示枠６と共に前扉４の上部に固定されるとともに、画像表示装置７の表示画面７１の大きさに相当する大きさの開口１１１を有し、開口１１１の裏面側両側部には、演出のための効果音を出力する左右のスピーカ１４が取り付けられている。
【００２３】
開閉装置８は、画像表示装置７の表示画面７１を挟むように、表示画面７１の前面に沿って左右方向へ直線移動可能な左右の前シャッター部材８１及び後シャッター部材８２と、前シャッター部材８１及び後シャッター部材８２を左右方向へ移動可能に支持するためのガイド手段９とを備える。
【００２４】
ガイド手段９は、ベース部材１１の前面に複数のボルト等（図示略）により固定され左右方向を向く上側ガイド９１及び下側ガイド９２と、上側ガイド９１と下側ガイド９２とを上下に連結する左右の連結板９３とを有している。
【００２５】
上側ガイド９１は、左右の前シャッター部材８１の上部を左右方向へ移動可能に支持するための前シャッター部材用上部レール９１１と、左右の後シャッター部材８２の上部を左右方向へ移動可能に支持するための後シャッター部材用上部レール９１２とを有している。
【００２６】
前、後シャッター部材用上部レール９１１，９１２は、互いに平行に配置されるとともに、縦断面形状がほぼ下向き開口コ字型をなしている。前シャッター部材用上部レール９１１は、後シャッター部材用上部レール９１２の上部に固定され、前シャッター部材用上部レール９１１及び後シャッター部材用上部レール９１２は、互いに上下方向に重畳するように配置される。
【００２７】
下側ガイド９２は、左右の前シャッター部材８１の下部を左右方向へ移動可能に支持するための前シャッター部材用下部レール９２１と、左右の後シャッター部材８２の下部を左右方向へ移動可能に支持するための後シャッター部材用下部レール９２２とを有している。
【００２８】
前、後シャッター部材用下部レール９２１，９２２は、互いに平行に配置されるとともに、縦断面形状がほぼ上向き開口コ字型をなしている。後シャッター部材用下部レール９２２は、前シャッター部材用下部レール９２１の後部に固定され、前シャッター部材用下部レール９２１及び後シャッター部材用下部レール９２２は、互いに前後方向に重畳するように配置される。
【００２９】
各レール９１１，９１２，９２１，９２２の両端部には、各シャッター部材８１，８２の移動範囲を規制するストッパ９４がそれぞれ設けられている。各ストッパ９４は、各シャッター部材８１，８２の端部がそれぞれ当接することにより、各シャッター部材８１，８２の全開位置を決定する。
【００３０】
左右の連結板９３は、画像表示装置７の表示画面７１を遮ることがないように、互いに左右方向へ隔てて配置され、その上端部は、後シャッター部材用上部レール９１２の前面に連結され、また、同じく下端部は、前シャッター部材用下部レール９２１の後面と後シャッター部材用下部レール９２２の前面との間に連結される。
【００３１】
各シャッター部材８１，８２は、表示画面７１の少なくとも一部を遮蔽可能な遮蔽部材である。左右の前シャッター部材８１は、合成樹脂で形成されており、上部に設けられた上部スライド部８１３が前シャッター部材用上部レール９１１に左右方向に移動可能に係合し、また、下部に設けられた下部スライド部８１４が前シャッター部材用下部レール９２１に左右方向へ移動可能に係合することにより、表示画面７１及び連結板９３の前面に沿って左右方向へ移動可能に支持され、表示画面７１を遮蔽する全閉位置（図２参照）と、表示画面７１を開放するとともに、各スライド部８１３，８１４の端部がストッパ９４に当接した全開位置（図１及び図３参照）との間を移動可能である。
【００３２】
前シャッター部材８１の上部スライド部８１３は、前シャッター部材８１の上部後面から後方へ突出形成され、前シャッター部材用上部レール９１１の下部と後シャッター部材用上部レール９１２の上部との間の隙間から進入して、前シャッター部材用上部レール９１１内に摺動可能に係合する。
【００３３】
図５に示すように、上部スライド部８１３の後面には、ラック８１６が左右方向に沿って設けられている。左側の前シャッター部材８１に設けられているラック８１６は、左側の第１駆動装置１０ＬＡにおける後述のピニオン１０１ＬＡに噛合し、また、右側の前シャッター部材８１に設けられるラック８１６は、右側の第１駆動装置１０ＲＡにおける後述のピニオン１０１ＲＡに噛合する。
【００３４】
左右の後シャッター部材８２は、合成樹脂で形成されており、上部に設けられた上部スライド部８２１が後シャッター部材用上部レール９１２内に左右方向へ移動可能に係合し、また、下部に設けられた下部スライド部８２２が後シャッター部材用下部レール９２２内に左右方向へ移動可能に係合することにより、連結板９３の後面及び表示領域７１の前面に沿って左右方向へ移動可能に支持され、表示画面７１を遮蔽する全閉位置と、表示画面７１を開放するとともに、各スライド部８２１、８２２の端部がストッパ９４に当接した全開位置との間を移動可能である。
【００３５】
後シャッター部材８２における下部スライド部８２２の後面には、ラック８２５が左右方向に沿って設けられている。左側の後シャッター部材８２に設けられるラック８２５は、左側の第２駆動装置１０ＬＢにおける後述のピニオン１０１ＬＢに噛合し、また、右側の後シャッター部材８２に設けられるラック８２５は、右側の第２駆動装置１０ＲＢにおける後述のピニオン１０１ＲＢに噛合する。
【００３６】
後シャッター部材８２における上部スライド部８２１と下部スライド部８２２の間に形成される正面視矩形状の遮蔽部８２３は、表示画面７１を遮蔽する位置にあっても、表示画面７１に表示される映像の輪郭や色彩を僅かに視認できる程度の半透明に形成される。
【００３７】
各駆動装置１０ＬＡ，１０ＲＡ，１０ＬＢ，１０ＲＢは、ベース部材１１の裏面に固定されるブラケット１０２ＬＡ，１０２ＲＡ，１０２ＬＢ，１０２ＲＢと、各ブラケット１０２ＬＡ，１０２ＲＡ，１０２ＬＢ，１０２ＲＢにそれぞれ取り付けられるモータ１０３ＬＡ，１０３ＲＡ，１０３ＬＢ，１０３ＲＢと、各ブラケット１０２ＬＡ，１０２ＲＡ，１０２ＬＢ，１０２ＲＢに対して上下方向を向く支軸（図示略）により回転可能に支持され、各モータ１０３ＬＡ，１０３ＲＡ，１０３ＬＢ，１０３ＲＢの動力によりそれぞれ回転可能なピニオン１０１ＬＡ，１０１ＲＡ，１０１ＬＢ，１０１ＲＢとをそれぞれ備えている。なお、モータ１０３ＬＡ，１０３ＲＡ，１０３ＬＢ，１０３ＲＢには、例えば、ステッピングモータが用いられる。
【００３８】
図６は左右の第１駆動装置１０ＲＡ，１０ＬＡの平面図、図７は左の第１、２駆動装置１０ＬＡ，１０ＬＢの正面図である。図６及び図７に示すように、左右の第１駆動装置１０ＬＡ，１０ＲＡ同士、及び左右の第２駆動装置１０ＬＢ，１０ＲＢ同士は、それぞれ左右対称構造である。また、左の第１駆動装置１０ＬＡと左の第２駆動装置１０ＬＢ同士、及び右の第１駆動装置１０ＲＡと右の第２駆動装置１０ＲＢ同士は、それぞれ上下対称構造である。したがって、左の第１の駆動装置１０ＬＡと右の第２駆動装置１０ＲＢ同士、及び左の第２駆動装置１０ＬＢと右の第１駆動装置１０ＲＡ同士は、それぞれ同一構造となる。
【００３９】
各ブラケット１０２ＬＡ，１０２ＲＡ，１０２ＬＢ，１０２ＲＢには、各シャッター部材８１，８２の全開位置及び全閉位置に相当する各ピニオン１０１ＬＡ，１０１ＲＡ，１０１ＬＢ，１０１ＲＢの回転位置を検出するセンサー１０５と、センサー１０５が実装される電気基板がそれぞれ配置されている。なお、センサー１０５は、光電式のセンサーが用いられる。
【００４０】
各ブラケット１０２ＬＡ，１０２ＲＡ，１０２ＬＢ，１０２ＲＢには、各ピニオン１０１ＬＡ，１０１ＲＡ，１０１ＬＢ，１０１ＲＢの側面に設けられた突部に当接することにより、各ピニオン１０１ＬＡ，１０１ＲＡ，１０１ＬＢ，１０１ＲＢを各シャッター部材８１，８２の全開位置に相当する回転位置に停止させるストッパ１０７が設けられている。
【００４１】
各ピニオン１０１ＬＡ，１０１ＲＡ，１０１ＬＢ，１０１ＲＢの側面には、前述の突部１０８と、それぞれが各シャッター部材８１，８２の全開位置及び全閉位置に相当する回転位置にあるとき、センサー１０５の発光部と受光部との間を遮蔽する全開検出部１０９ａ，１０９ｂと、貫通孔の確認印１０９ｃが設けられている。
【００４２】
図７に示すように、各ブラケット１０２ＬＡ，１０２ＲＡには、後端にボルト５０によりベース部材１１の裏面に締結される上向き取付片１０２ａ及び前端にボルト５０によりベース部材１１の裏面に締結される下向き取付片１０２ｂがそれぞれ設けられている。また、左の第１駆動装置１０１ＬＡのピニオン１０１ＬＡは、ブラケット１０３ＬＡの上面における右部に枢支され、また、右の第１駆動装置１０ＲＡのピニオン１０１ＲＡは、ブラケット１０３ＲＡの上面における左部に枢支される。
【００４３】
各ブラケット１０２ＬＢ，１０２ＲＢには、後端にボルト５０によりベース部材１１の裏面に締結される上向き取付片１０２ａ及び前端にボルト５０によりベース部材１１の裏面に締結される下向き取付片１０２ｂがそれぞれ設けられている。また、左の第２駆動装置１０１ＬＢのピニオン１０１ＬＢは、ブラケット１０３ＬＢの下面における右部に枢支され、また、右の第２駆動装置１０ＲＢのピニオン１０１ＲＢは、ブラケット１０３ＲＢの下面における左部に枢支される。
【００４４】
左右の第１駆動装置１０ＬＡ，１０ＲＡは、左、右の前シャッター部材８１をそれぞれ左右方向へ移動させる。左右の第１駆動装置１０ＬＡ，１０ＲＡは、ベース部材１１の裏面上部の左右両側に取り付けられることにより、各ピニオン１０１ＬＡ，１０１ＲＡがベース部材１１の上部左右に設けられた横長の開口部１１２Ｒ，１１２Ｌからベース部材１１の表面に露出して、左右の前シャッター部材８１のラック８１６にそれぞれ噛合することにより、各モータ１０３ＬＡ，１０３ＲＡの動力を左右の前シャッター部材８１にそれぞれ伝達する。
【００４５】
左右の第２駆動装置１０ＬＢ，１０ＲＢは、左、右の後シャッター部材８２をそれぞれ左右方向へ移動させる。左右の第２駆動装置１０ＬＢ，１０ＲＢは、ベース部材１１の裏面下部の左右両側に取り付けられることにより、各ピニオン１０１ＬＢ，１０１ＲＢがベース部材１１の上部左右に設けられた横長の開口部１１３，１１３からベース部材１１の表面に露出して、左右の後シャッター部材８２のラック８２５にそれぞれ噛合することにより、各モータ１０３ＬＢ，１０３ＲＢの動力を左右の後シャッター部材８２にそれぞれ伝達する。
【００４６】
各駆動装置１０ＬＡ，１０ＲＡ，１０ＬＢ，１０ＲＢは、シャッター制御基板（後述）からのパルス（励磁パターン）に基づいてモータ１０３ＬＡ，１０３ＲＡ，１０３ＬＢ，１０３ＲＢを駆動させ、各ピニオン１０１ＬＡ，１０１ＲＡ，１０１ＬＢ，１０１ＲＢを回転させることにより、左右の各シャッター部材８１，８２に移動、振動等の動作を行わせることが可能である。
【００４７】
各シャッター部材８１，８２が全開位置及び全閉位置に達したときは、各ピニオン１０１ＬＡ，１０１ＲＡ，１０１ＬＢ，１０１ＲＢの回転位置が各センサー１０５により検出され、各モータ１０３ＬＡ，１０３ＲＡ，１０３ＬＢ，１０３ＲＢへの通電が停止される。
【００４８】
（制御回路構成）
次に、図８を参照して、遊技機１の制御回路構成を説明する。
【００４９】
リール始動スイッチ３０１は、スタートレバー２２押下による検出信号を主制御基板４００に送信し、リールユニット３１２におけるリール回転の契機を与える。ベットボタンスイッチ３０２は、ベットボタン２１押下による検出信号を主制御基板４００に送信し、クレジット状態のメダルから指定枚数分だけ掛数に設定する契機を与える。停止ボタンスイッチ３０３は、停止ボタン２３押下による検出信号を主制御基板４００に送信し、押下された停止ボタンに対応するリールの回転停止の契機を与える。メダルセンサスイッチ３０５は、メダル投入口２０へのメダル投入による検出信号を主制御基板４００に送信し、投入枚数分だけ掛数に設定する契機を与える。リセット回路３０７は、主制御基板４００及び副制御基板５００を初期状態にする。電源回路３１８は、回路全体に電力を供給する。ホッパ制御装置３１６は、主制御基板４００からの指示を受けて、メダルをメダル放出口から放出する。リールユニット３１２は、各リール２ａ，２ｂ，２ｃを各々回転させる３個のステッピングモータ、主制御基板４００からの励磁パターンに基づいて各ステッピングモータを駆動させる駆動回路、及び各リール２ａ，２ｂ，２ｃに取り付けられた各インデックス片検出時に検出信号を出力するインデックスセンサを備えている。
【００５０】
ＬＥＤ表示装置３１３は、副制御基板５００からの指示を受けてセンター照明装置１２、左右のサイド照明装置１３等のＬＥＤを選択的に点灯／消灯させる。ランプ表示装置３１４は、副制御基板５００からの指示を受けて遊技機１に設けられたランプを点滅させるための装置である。効果音発生装置３１５は、副制御基板５００からの指示を受けて効果音をスピーカ１４から出力する。
【００５１】
（主制御基板）
主制御基板４００は、ＣＰＵ４０１、ＲＯＭ４０２及びＲＡＭ４０３を備えており、入力ポート（不図示）を介して各スイッチからの信号を取り込んで処理を行い、その処理に基づく各種のコマンドを出力ポート（不図示）を介して外部へ出力する。
【００５２】
ＲＡＭ４０３には、入出力データ、役抽選用の乱数カウンタ等の各種カウンタ、各種フラグ等が一時記憶される。ＲＯＭ４０２には、各遊技状態での役の当選確率を定義した役抽選テーブル、リール回転制御用の各種テーブル、各種コマンドが記憶されている。
【００５３】
ＲＯＭ４０２に記憶されるコマンドとしては、例えば、当選役コマンド、遊技状態コマンド、第一リール停止コマンド、第二リール停止コマンド、第三リール停止コマンド及びリール回転コマンドが存在する。「当選役コマンド」は、役抽選により当選した役を副制御基板５００に通知するためのコマンドである。「遊技状態コマンド」は、現在の遊技状態を副制御基板５００に通知するためのコマンドである。「第一リール停止コマンド」は、第一停止ボタンに対する押下操作があったことを副制御基板５００に通知するためのコマンドである。ここで、「第一停止ボタン」とは、全リール２ａ，２ｂ，２ｃの回転中に最初に押下された停止ボタンである。「第二リール停止コマンド」は、第二停止ボタンに対する押下操作があったことを副制御基板５００に通知するためのコマンドである。ここで、「第二停止ボタン」とは、第一停止ボタンの次に押下された停止ボタンをいう。「第三リール停止コマンド」は、第三停止ボタンに対する押下操作があったことを副制御基板５００に送信するためのコマンドである。ここで、「第三停止ボタン」とは、第二停止ボタンの次に押下された停止ボタンをいう。「リール回転コマンド」は、スタートレバー２２に対する押下操作によりリール２ａ，２ｂ，２ｃが回転を開始した時に、副制御基板５００に送信されるコマンドである。
【００５４】
また、ＲＯＭ４０２には遊技を制御するためのプログラムが記憶されており、ＣＰＵ４０１は当該プログラムに従って、役抽選、リール２ａ，２ｂ，２ｃの回転制御、メダルの払出し等を行う。当選役の種類には、遊技者の利益が増加する傾向のある大役（ボーナス）、及び、ベル、スイカ等の図柄が所定の態様で揃うことで相対的に少量のメダルを払い出す小役が存在する。
【００５５】
（副制御基板）
副制御基板５００は、ＣＰＵ５０１、ＲＯＭ５０２及びＲＡＭ５０３を備えており、主制御基板４００から受信したコマンドに基づいて各種演出制御を行う。ＲＡＭ５０３には、入出力データ、各種フラグ、警告タイマーの値等が一時記憶される。各種フラグには、第一リール停止コマンドフラグ、第二リール停止コマンドフラグ、及び、第三リール停止コマンドフラグが存在する。これらのフラグは、それぞれ、第一リール停止コマンド、第二リール停止コマンド、第三リール停止コマンドを主制御基板４００から受信した時に、オンに設定されるフラグである。警告タイマーの値は、第一リール停止コマンド又は第二リール停止コマンドを受信してからの時間を計時するためのカウンタ値である。
【００５６】
ＲＯＭ５０２には、演出抽選用の各種テーブル、画像表示装置７に送信するための液晶コマンド、及び、シャッター制御基板６００に送信するためのシャッターコマンドが記憶される。
【００５７】
演出抽選用の各種テーブルには、当選役に応じて演出番号を抽選するためのテーブル、演出番号に対応する演出パターン（各操作時（スタートレバー２２押下時、第一停止ボタン押下時、第二停止ボタン押下時、第三停止ボタン押下時等）の演出）を定義するテーブル等が存在する。
【００５８】
液晶コマンドには、警告表示コマンド及び警告非表示コマンドが存在する。「警告表示コマンド」は、リール２ａ，２ｂ，２ｃが回転を開始してから（第一停止ボタン又は第二停止ボタンが押下された場合は、当該ボタンが押下されてから）停止ボタンの操作が行われることなく所定時間（本実施形態では５分）が経過した時に「リールを止めてください」という警告メッセージを画像表示装置７の表示画面７１に表示するためのコマンドである。図９には、警告メッセージが表示された画像の一例を示す。表示画面７１に演出画像が表示されている時に警告表示コマンドが副制御基板５００から画像表示装置７に送信された場合、同図に示すように警告メッセージが演出画像の上に重ねて表示される。「警告非表示コマンド」は、表示画面７１に表示されている警告メッセージを消去するためのコマンドである。
【００５９】
シャッターコマンドとしては、例えば、図１０に示すコマンドが存在する。「０１Ｈ」は全開コマンド、「０２Ｈ」は全閉コマンド、「０３Ｈ」〜「０５Ｈ」は演出コマンドであり、これらのコマンドは演出抽選結果等に基づいて選択され、シャッター制御基板６００に送信される。また、「８０Ｈ」から「８３Ｈ」までのコマンドは、主制御基板４００から通知を受けたリール２ａ，２ｂ，２ｃの回転状況をシャッター制御基板６００にも通知するためのコマンドである。
【００６０】
また、副制御基板５００のＲＯＭ５０２には、演出制御を行うためのプログラムが記憶されており、ＣＰＵ５０１は、当該プログラムに従って、後述するコマンド受信処理、警告タイマー処理及び警告コマンド送信処理を実行する。
【００６１】
（画像表示装置）
画像表示装置７は、ＣＰＵ７０１、ＲＡＭ７０２、ＲＯＭ７０３及びＶＤＰ（Video Display Processor）７０４を備えている。ＲＡＭ７０２には入出力データや演出に関するデータが一時記憶される。ＲＯＭ７０３には演出用の画像データが記憶されている。画像表示装置７のＣＰＵ７０１は、副制御基板５００からの液晶コマンドに応じて画像データをＲＯＭ７０３から取得し、ＶＤＰ７０４を介して表示装置７１に画像を表示する。
【００６２】
例えば、画像表示装置７のＣＰＵ７０１は、副制御基板５００から警告表示コマンドを受信すると、当該警告表示コマンドに対応する画像データをＲＯＭ７０３から取得し、「リールを止めてください」という警告メッセージを表示画面７１に表示する。
【００６３】
（シャッター制御基板）
シャッター制御基板６００は、ＣＰＵ６０１、ＲＯＭ６０２及びＲＡＭ６０３を備えている。ＲＡＭ６０３には、入出力データや、シャッター部材８１，８２の演出制御のためのデータが一時的に記憶される。シャッター部材８１，８２の演出制御のためのデータには、第一リール停止コマンドフラグ、第二リール停止コマンドフラグ、第三リール停止コマンドフラグ、演出実行フラグ、演出パターン、演出実行フラグ、警告タイマーの値、シャッター全開フラグ、及び、シャッター部材８１，８２の状態が存在する。「第一リール停止コマンドフラグ」、「第二リール停止コマンドフラグ」、「第三リール停止コマンドフラグ」は、それぞれ、第一リール停止コマンド、第二リール停止コマンド、第三リール停止コマンドを副制御基板５００から受信した時に、オンに設定されるフラグである。「演出パターン」は、遊技者による各停止操作時に実行する予定のシャッター部材８１，８２の演出パターンである。「演出実行フラグ」は、演出パターンが記憶された場合にオンに設定されるフラグである。「警告タイマーの値」は、第一リール停止コマンド又は第二リール停止コマンドを受信してからの時間を計時するためのカウンタ値である。「シャッター全開フラグ」は、シャッター部材８１，８２が全開位置にあるときにオンに設定されるフラグである。「シャッター部材８１，８２の状態」は、各駆動装置１０ＬＡ，１０ＲＡ，１０ＬＢ，１０ＲＢに設けられた各センサー１０５からの信号に基づいて把握されたシャッター部材８１の位置や移動速度等を示す情報である。
【００６４】
シャッター制御基板６００のＲＯＭ６０２には、シャッター部材８１，８２の演出（動作）を制御するための励磁パターンが記憶されている。励磁パターンは、開閉部材８の各駆動装置１０ＬＡ，１０ＲＡ，１０ＬＢ，１０ＲＢに逐次出力されて、各モータ１０３ＬＡ，１０３ＲＡ，１０３ＬＢ，１０３ＲＢの駆動を制御し、各シャッター部材８１，８２の動作を制御する。
【００６５】
また、ＲＯＭ６０２にはシャッター部材８１，８２の駆動制御を行うためのプログラムが記憶されており、ＣＰＵ６０１は当該プログラムに従ってシャッター部材８１，８２の駆動制御を行う。特に、ＣＰＵ６０１は、リール２ａ，２ｂ，２ｃが回転を開始してから（第一停止ボタン又は第二停止ボタンが押下された場合は、当該ボタンが押下されてから）の時間を警告タイマーで計時し、停止操作が行われずに警告タイマーが５分に達したことを契機として、開閉装置８の駆動装置１０ＬＡ，１０ＲＡ，１０ＬＢ，１０ＲＢに励磁パターンを送信することにより、表示画面７１を開放する方向へシャッター部材８１，８２を駆動させる機能を有する（「駆動制御手段」に対応）。詳細は、後述するコマンド受信処理、演出処理及び警告タイマー処理にて説明する。
【００６６】
（主制御基板が行う処理）
次に、図１１に示すフローチャートを参照して、主制御基板４００のＣＰＵ４０１が行う処理について説明する。遊技機１に電源が投入されると、ＣＰＵ４０１は、各種初期設定の後、定期的な割込み処理により、ＲＡＭ４０３内の設定値及びボーナスの当選確率に対応したＲＡＭ４０３内の役の乱数カウンタを逐次更新することによって、役の乱数値を順次発生させる。
【００６７】
ＣＰＵ４０１は、ベットボタンスイッチ３０２やメダルセンサスイッチ３０５からの信号を監視し、メダルの投入を待つ（ステップＳ１０１）。
【００６８】
メダルが投入されて遊技可能状態となると、ＣＰＵ４０１は、リール始動スイッチ３０１からの信号を監視し、スタートレバー２２が押下されるのを待つ（ステップＳ１０２）。
【００６９】
スタートレバー２２が押下された場合、ＣＰＵ４０１は乱数抽選処理を行う（ステップＳ１０３）。具体的には、ＣＰＵ４０１は、ＲＡＭ４０３内の役抽選用の乱数カウンタから乱数値を抽出するとともに、役抽選に用いる役抽選テーブルを決定する。そして、ＣＰＵ４０１は、取得した乱数値及び役抽選テーブルに基づいて当選役を決定する。
【００７０】
ＣＰＵ４０１は、リール回転の指示をリールユニット３１２に出力して、全リール２ａ，２ｂ，２ｃの回転を開始する（ステップＳ１０４）。そして、ＣＰＵ４０１は、当選役を通知するための当選役コマンド、及びリール２ａ，２ｂ，２ｃの回転が開始したことを通知するためのリール回転コマンドを副制御基板５００に送信する（ステップＳ１０５）。
【００７１】
次に、ＣＰＵ４０１は、停止ボタン２３が押下されたか否かを判定する（ステップＳ１０６）。停止ボタンスイッチ３０３からの検出信号により、停止ボタン２３の何れかが押下されたと判定した場合は（ステップＳ１０６；Ｙ）、ＣＰＵ４０１は、その停止ボタン２３に対する押下が何番目に行われたかに応じて、第一リール停止コマンド、第二リール停止コマンド、第三リール停止コマンドの何れかを副制御基板５００に送信する（ステップＳ１０７）。
【００７２】
次いで、ＣＰＵ４０１は、入賞が成立するよう停止制御を行ってリールを停止させ（ステップＳ１０８）、全てのリール２ａ，２ｂ，２ｃが停止したか否かを判定する（ステップＳ１０９）。全てのリール２ａ，２ｂ，２ｃが停止していないと判定した場合は（ステップＳ１０９；Ｎ）、ステップＳ１０６に戻り、停止ボタン２３に対する押下操作を監視する。
【００７３】
一方、全てのリール２ａ，２ｂ，２ｃが停止したと判定した場合は（ステップＳ１０９；Ｙ）、ＣＰＵ４０１は、リール２ａ，２ｂ，２ｃの停止位置から入賞を判定し（ステップＳ１１０）、入賞結果に応じたメダルの払出処理を行う（ステップＳ１１１）。
【００７４】
（副制御基板が行う処理）
次に、副制御基板５００のＣＰＵ５０１が行う処理について説明する。副制御基板５００のＣＰＵ５０１は、２００ｍｓ（ミリ秒）周期で割込み信号を受信する毎に、割込み処理を繰り返し実行する。この割込み処理には、コマンド受信処理、警告タイマー処理、及び、警告コマンド送信処理が含まれている。
【００７５】
（コマンド受信処理）
まず、図１２を参照して、コマンド受信処理について説明する。副制御基板５００のＣＰＵ５０１は、主制御基板４００から第一リール停止コマンドを受信したか否かを判断し（ステップＳ２０１）、第一リール停止コマンドを受信と判断した場合（ステップＳ２０１；Ｙ）、第一リール停止コマンドフラグをオンにする（ステップＳ２０２）。
【００７６】
次いで、ＣＰＵ５０１は警告タイマーに５分を設定する（ステップＳ２０３）。具体的には、ＣＰＵ５０１は、警告タイマーの値として５分を計時するためのカウンタ値（本実施形態では、「１５００」（５分／２００ｍｓ））をＲＡＭ５０３に設定する。
【００７７】
ステップＳ２０１における判断の結果、第一リール停止コマンドを受信していないと判断した場合（ステップＳ２０１；Ｎ）、又はステップＳ２０３における処理が終了した後、ＣＰＵ５０１は、第二リール停止コマンドを受信したか否かを判断する（ステップＳ２０４）。第二リール停止コマンドを受信したと判断した場合（ステップＳ２０４；Ｙ）、ＣＰＵ５０１は、第二リール停止コマンドフラグをオンにし（ステップＳ２０５）、警告タイマーに５分を設定する（ステップＳ２０６）。
【００７８】
ステップＳ２０４における判断の結果、第二リール停止コマンドを受信していないと判断した場合（ステップＳ２０４；Ｎ）、又はステップＳ２０６における処理が終了した後、ＣＰＵ５０１は、第三リール停止コマンドを受信したか否かを判断する（ステップＳ２０７）。第三リール停止コマンドを受信したと判断した場合（ステップＳ２０７；Ｙ）、ＣＰＵ５０１は、第三リール停止コマンドフラグをオンにする（ステップＳ２０８）。
【００７９】
ステップＳ２０７における判断の結果、第三リール停止コマンドを受信していないと判断した場合（ステップＳ２０７；Ｎ）、又はステップＳ２０８における処理が終了した後、ＣＰＵ５０１は、リール回転コマンドを受信したか否かを判断する（ステップＳ２０９）。リール回転コマンドを受信したと判断した場合（ステップＳ２０９；Ｙ）、ＣＰＵ５０１は、第１リール停止コマンドフラグ、第２リール停止コマンドフラグ及び第３リール停止コマンドフラグをオフにし（ステップＳ２１０、Ｓ２１１、Ｓ２１２）、警告タイマーに５分を設定する（ステップＳ２１３）。
【００８０】
ステップＳ２０９における判断の結果、リール回転コマンドを受信していないと判断した場合（ステップＳ２０９；Ｎ）、又はステップＳ２１３における処理が終了した場合は、受信したコマンドをシャッター制御基板６００に通知し（ステップＳ２１４）、処理を終了する。
【００８１】
（警告タイマー処理）
次に、図１３を参照して、警告タイマー処理について説明する。副制御基板５００のＣＰＵ５０１は、警告タイマーの値がゼロ（０）よりも大きいか否かを判断する（ステップＳ３０１）。警告タイマーの値がゼロよりも大きいと判断した場合（ステップＳ３０１；Ｙ）、すなわち、警告タイマーが５分に達していない場合、ＣＰＵ５０１は警告タイマーの値を１だけデクリメントし（ステップＳ３０２）、計時を続ける。一方、警告タイマーの値がゼロであると判断した場合（ステップＳ３０１；Ｎ）、警告タイマーが５分に達しているため、ＣＰＵ５０１はデクリメントを行わずに処理を終了する。
【００８２】
（警告コマンド送信処理）
次に、図１４を参照して、警告コマンド送信処理について説明する。副制御基板５００のＣＰＵ５０１は、第一リール停止コマンドフラグ、第二リール停止コマンドフラグ及び第三リール停止コマンドフラグの全てがオンであるか否か、すなわち、３つのリール２ａ，２ｂ，２ｃが全て停止しているか否かを判断する（ステップＳ４０１）。３つのリール２ａ，２ｂ，２ｃのうち少なくとも１つが回転していると判断した場合（ステップＳ４０１；Ｎ）、ＣＰＵ５０１は、警告タイマーの値がゼロであるか否かを判断する（ステップＳ４０２）。警告タイマーの値がゼロであると判断した場合（ステップＳ４０２；Ｙ）、停止操作がないまま少なくとも１つのリールが５分間回転し続けていることになるため、ＣＰＵ５０１は、警告表示コマンドを画像表示装置７に送信する（ステップＳ４０３）。警告表示コマンドを受信した画像表示装置７のＣＰＵ７０１は、「リールを止めてください」という警告メッセージを表示画面７１に表示する。
【００８３】
一方、警告タイマーの値がゼロでないと判断した場合（ステップＳ４０２；Ｎ）、ＣＰＵ５０１は警告非表示コマンドを画像表示装置７に送信する（ステップＳ４０４）。警告非表示コマンドを受信した画像表示装置７のＣＰＵ７０１は、表示画面７１に警告メッセージが表示されていた場合、当該警告メッセージを消す。
【００８４】
一方、ステップＳ４０１において、第一リール停止コマンドフラグ、第二リール停止コマンドフラグ及び第三リール停止コマンドフラグの全てがオンであると判断した場合（ステップＳ４０１；Ｙ）、３つのリール２ａ，２ｂ，２ｃ全てが停止していることになるため、ＣＰＵ５０１は、警告コマンドを送信せずに処理を終了する。
【００８５】
（シャッター制御基板が行う処理）
次に、シャッター制御基板６００のＣＰＵ６０１が行う処理について説明する。
【００８６】
上述した副制御基板５００と同様に、シャッター制御基板６００にも割込み信号が２００ｍｓ（ミリ秒）周期で入力され、シャッター制御基板６００のＣＰＵ６０１は、割込み信号を受信する毎に割込み処理を繰り返し実行する。割込み処理には、コマンド受信処理及び警告タイマー処理が含まれる。
【００８７】
（コマンド受信処理）
まず、図１５及び図１６を参照して、コマンド受信処理について説明する。シャッター制御基板６００のＣＰＵ６０１は、シャッター全開コマンド、シャッター全閉コマンド、演出コマンドの何れかを副制御基板４００から受信した場合（ステップＳ５０１；Ｙ、ステップＳ５０２；Ｙ、又はステップＳ５０３；Ｙ）、これらのコマンドに基づいて、各操作に応じて実行する予定の演出パターンをＲＡＭ６０３に保存し（ステップＳ５０４）、演出実行フラグをオンにする（ステップＳ５０５）。
【００８８】
次に、ＣＰＵ６０１は、第一リール停止コマンドを受信したか否かを判断し（ステップＳ５０６）、第一リール停止コマンドを受信したと判断した場合（ステップＳ５０６；Ｙ）、第一リール停止コマンドフラグをオンにし（ステップＳ５０７）、演出処理を行う（ステップＳ５０８）。そして、ＣＰＵ６０１は、警告タイマーに５分を設定する（ステップＳ５０９）。
【００８９】
次に、ＣＰＵ６０１は、第二リール停止コマンドを受信したか否かを判断し（ステップＳ５１０）、第二リール停止コマンドを受信したと判断した場合（ステップＳ５１０；Ｙ）、ＣＰＵ６０１は、第二リール停止コマンドフラグをオンにし（ステップＳ５１１）、演出処理を行う（ステップＳ５１２）。次いで、ＣＰＵ６０１は、警告タイマーに５分を設定する（ステップＳ５１３）。
【００９０】
次に、ＣＰＵ６０１は、第三リール停止コマンドを受信したか否かを判断し（ステップＳ５１４）、第三リール停止コマンドを受信したと判断した場合（ステップＳ５１４；Ｙ）、第三リール停止コマンドフラグをオンにし（ステップＳ５１５）、演出処理を行う（ステップＳ５１６）。
【００９１】
次に、ＣＰＵ６０１は、リール回転コマンドを受信したか否かを判断し（ステップＳ５１７）、リール回転コマンドを受信したと判断した場合（ステップＳ５１７；Ｙ）、第一リール停止コマンドフラグ、第二リール停止コマンドフラグ及び第三リール停止コマンドフラグをオフにし（ステップＳ５１８，Ｓ５１９，Ｓ５２０）、警告タイマーに５分を設定する（ステップＳ５２１）。
【００９２】
（警告タイマー処理）
次に、図１７を参照して警告タイマー処理について説明する。この警告タイマー処理は、上記コマンド受信処理の次に実行される割込み処理である。この処理では、警告タイマーによる計時が行われるともに、警告タイマーが５分に達した時に何れかのリールが回転していた場合、シャッター部材８１，８２が全開位置に駆動される。
【００９３】
シャッター制御基板６００のＣＰＵ６０１は、警告タイマーの値がゼロより大きいか否かを判断する（ステップＳ６０１）。警告タイマーの値がゼロより大きいと判断した場合（ステップＳ６０１；Ｙ）、すなわち、警告タイマーが５分に達していない場合、ＣＰＵ６０１は、警告タイマーの値を１だけデクリメントして（ステップＳ６０２）、処理を終了する。
【００９４】
一方、警告タイマーの値がゼロであると判断した場合（ステップＳ６０１；Ｎ）、すなわち、警告タイマーが５分に達している場合、第一リール停止コマンドフラグ、第二リール停止コマンドフラグ及び第三リール停止コマンドフラグの全てがオンか否かを判断する（ステップＳ６０３）。
【００９５】
第一〜第三リール停止コマンドフラグの全てがオンであると判断した場合（ステップＳ６０３；Ｙ）、全てのリール２ａ，２ｂ，２ｃは停止しているため、処理を終了する。一方、第一〜第三リール停止コマンドフラグの全てがオンでないと判断した場合（ステップＳ６０３；Ｎ）、ＣＰＵ６０１は、シャッター全開フラグがオンか否かを判断する（ステップＳ６０４）。シャッター全開フラグがオンであると判断した場合（ステップＳ６０４；Ｙ）、シャッター部材８１，８２は既に全開位置にあるため、処理を終了する。一方、シャッター全開フラグがオンでないと判断した場合（ステップＳ６０４；Ｎ）、ＣＰＵ６０１は、センサー１０５からの信号に基づいて現在のシャッター部材８１，８２の位置や速度を確認し、当該位置等のシャッター部材８１，８２の状態をＲＡＭ６０３に保存する（ステップＳ６０５）。次いで、ＣＰＵ６０１は、シャッター部材８１，８２を全開にするための励磁パターンをＲＯＭ６０２から取得して、各駆動装置１０ＬＡ，１０ＲＡ，１０ＬＢ，１０ＲＢに送信する（ステップＳ６０６）。これにより、各駆動装置１０ＬＡ，１０ＲＡ，１０ＬＢ，１０ＲＢは表示画面７１を開放する方向へシャッター部材８１，８２を駆動し、シャッター部材８１，８２は全開となる。そして、ＣＰＵ６０１は、シャッター全開フラグをオンにして（ステップＳ６０７）、処理を終了する。
【００９６】
（演出処理）
次に、図１８を参照して、図１５及び図１６に示すステップＳ５０８，Ｓ５１２，Ｓ５１６において行われる各停止操作後の演出処理の詳細について説明する。
【００９７】
シャッター制御基板６００のＣＰＵ６０１は、警告タイマーの値がゼロより大きいか否かを判断する（ステップＳ７０１）。
【００９８】
警告タイマーの値がゼロ以下の場合（ステップＳ７０１；Ｎ）、すなわち、停止操作が行われることなく５分が経過した後に停止操作が行われた場合、ＣＰＵ６０１は、図１７に示す警告タイマー処理のステップＳ６０５でＲＡＭ６０３に保存されたシャッター部材８１，８２の状態に基づいて、シャッター部材８１，８２を元の状態に復帰させて（ステップＳ７０２）、ステップＳ７０３に進む。
【００９９】
一方、警告タイマーがゼロより大きい場合（ステップＳ７０１；Ｙ）、すなわち、５分が経過していないと判断した場合は、ステップＳ７０２の処理を行わずにステップＳ７０３に進む。
【０１００】
ステップＳ７０３においては、ＣＰＵ６０１は、演出実行フラグがオンか否かを判断する。演出実行フラグがオンであると判断された場合（ステップＳ７０３；Ｙ）、ＣＰＵ６０１は、ＲＡＭ６０３に保存された演出パターンに基づいて励磁パターンを各駆動装置１０ＬＡ，１０ＲＡ，１０ＬＢ，１０ＲＢに逐次送信することにより、シャッター部材８１，８２による演出を実行する（ステップＳ７０４）。そして、演出実行フラグをオフにして（ステップＳ７０５）、処理を終了する。
【０１０１】
図１９（ａ）及び図２０（ａ）は、警告タイマーによる計時が開始された時のシャッター部材８１，８２の位置と表示画面７１に表示される画像とを示す図である。図１９（ａ）は、警告タイマーによる計時が開始された時に右の後シャッター部材８２の全閉演出が行われた場合の表示例であり、図２０（ａ）は、警告タイマーによる計時が開始された時に左右の後シャッター部材８２の全閉演出が行われた場合の表示例である。図１９（ｂ）及び図２０（ｂ）は、（ａ）の状態からいずれかのリールが回転したまま５分が経過した時のシャッター部材８１，８２の位置と表示画面７１に表示される画像とを示す図である。
【０１０２】
図１９（ｂ）及び図２０（ｂ）に示すように、５分経過後にシャッター部材８１，８２を全開にして表示画面７１にリールの停止操作を促す警告メッセージを表示することにより、遊技者や遊技店の店員はリールが回転したまま長時間放置されていることを認識することができる。したがって、リールの回転を停止させて他の遊技者がその遊技機で遊技を行うことができるため、遊技店の売上が減少するのを防ぐことができる。
【０１０３】
（変形例）
以上、本発明の実施形態について説明したが、本発明の要旨を逸脱しない範囲内で、本実施形態に対して、次のような種々の変形や変更を施すことが可能である。
（１）上述した実施形態では、図１７に示す警告タイマー処理のステップＳ６０６において、警告メッセージを表示する際にシャッター部材８１，８２を全開にするとして説明したが、これに限定されることはなく、警告メッセージが視認可能であればシャッター部材８１，８２を半開にしてもよい。
（２）上述した実施形態では、副制御基板５００のＣＰＵ５０１とシャッター制御基板６００のＣＰＵ６０１とがそれぞれ別々に警告タイマーで時間を計時し、警告タイマーが５分に達した時に、副制御基板５００のＣＰＵ５０１が警告表示コマンドを図柄表示装置７に送信し、シャッター制御基板６００のＣＰＵ６０１がシャッター部材８１，８２を全開にするための励磁パターンを開閉装置８に送信したが、これに限定されることはなく、例えば、副制御基板５００のみが計時を行い、警告タイマーが５分に達した時に図柄表示装置７とシャッター制御基板６００との両方にコマンドを送信するようにしてもよい。また、副制御基板５００で計時を行わず、図柄表示装置７及びシャッター制御基板６００の両方で計時を行って演出を制御するようにしてもよい。
（３）上述した実施形態では、遊技機１は遊技媒体をメダルとする回胴式の遊技機であるとして説明したが、これに限定されることはなく、遊技機１を遊技媒体がパチンコ玉であるパチンコ機その他の遊技機とすることが可能である。
【図面の簡単な説明】
【０１０４】
【図１】本発明の実施形態に係る遊技機の斜視図である。
【図２】同実施形態に係る表示ユニットの正面図である。
【図３】同実施形態に係る表示枠を外した状態の表示ユニットの裏面図である。
【図４】同実施形態に係る、斜め前方から見た表示ユニットの分解斜視図である。
【図５】同実施形態に係る、斜め後方から見た表示ユニットの分解斜視図である。
【図６】同実施形態に係る左右の第１駆動装置の平面図である。
【図７】同実施形態に係る左の第１、２駆動装置の正面図である。
【図８】同実施形態に係る遊技機の制御回路構成を示す図である。
【図９】同実施形態に係る警告メッセージが表示された画像の一例を示す図である。
【図１０】同実施形態に係る副制御基板からシャッター制御基板に送信されるコマンドの一例を示す図である。
【図１１】同実施形態に係る主制御基板のＣＰＵが行う処理の流れを示すフローチャートである。
【図１２】同実施形態に係る副制御基板のＣＰＵが行うコマンド受信処理の流れを示すフローチャートである。
【図１３】同実施形態に係る副制御基板のＣＰＵが行う警告タイマー処理の流れを示すフローチャートである。
【図１４】同実施形態に係る副制御基板のＣＰＵが行う警告コマンド送信処理の流れを示すフローチャートである。
【図１５】同実施形態に係るシャッター制御基板のＣＰＵが行うコマンド受信処理の流れを示すフローチャートである。
【図１６】同実施形態に係るシャッター制御基板のＣＰＵが行うコマンド受信処理の流れを示すフローチャートである。
【図１７】同実施形態に係るシャッター制御基板のＣＰＵが行う警告タイマー処理の流れを示すフローチャートである。
【図１８】同実施形態に係るシャッター制御基板のＣＰＵが行う演出処理の流れを示すフローチャートである。
【図１９】（ａ）は警告タイマーによる計時が開始された時のシャッター部材の位置と表示画面に表示される画像とを示す図であり、（ｂ）は（ａ）の状態から停止操作が行われず５分が経過した時のシャッター部材の位置と表示画面に表示される画像とを示す図である。
【図２０】（ａ）は警告タイマーによる計時が開始された時のシャッター部材の位置と表示画面に表示される画像とを示す図であり、（ｂ）は（ａ）の状態から停止操作が行われず５分が経過した時のシャッター部材の位置と表示画面に表示される画像とを示す図である。
【符号の説明】
【０１０５】
１      遊技機
２ａ，２ｂ，２ｃ  リール
３      筐体
４      前扉
５      表示ユニット
６      表示枠
７      画像表示装置
８      開閉装置
８１    前シャッター部材
８２    後シャッター部材
９      ガイド手段
１０ＲＡ，１０ＬＡ  第１駆動装置
１０ＲＢ，１０ＬＢ  第２駆動装置
１１    ベース部材
１２    センター照明装置
１３    サイド照明装置
１４    スピーカ
２０    メダル投入部
２１    ベットボタン
２２    スタートレバー
２３    ストップボタン
４１    メダル受皿
４２    透視窓
３０１  リール始動スイッチ
３０２  ベットボタンスイッチ
３０３  停止ボタンスイッチ
３０５  メダルセンサスイッチ
３０７  リセット回路
４００  主制御基板
５００  副制御基板
３１２  リールユニット
３１３  ＬＥＤ表示装置
３１４  ランプ表示装置
３１５  効果音発生装置
３１６  ホッパ制御装置
３１８  電源回路
６００  シャッター制御基板
【図１】
2008295964.tif 000003
【図２】
2008295964.tif 000004
【図３】
2008295964.tif 000005
【図４】
2008295964.tif 000006
【図５】
2008295964.tif 000007
【図６】
2008295964.tif 000008
【図７】
2008295964.tif 000009
【図８】
2008295964.tif 000010
【図９】
2008295964.tif 000011
【図１０】
2008295964.tif 000012
【図１１】
2008295964.tif 000013
【図１２】
2008295964.tif 000014
【図１３】
2008295964.tif 000015
【図１４】
2008295964.tif 000016
【図１５】
2008295964.tif 000017
【図１６】
2008295964.tif 000018
【図１７】
2008295964.tif 000019
【図１８】
2008295964.tif 000020
【図１９】
2008295964.tif 000021
【図２０】
2008295964.tif 000022